(57)【要約】【課題】球皿に貯まった遊技球を球抜孔から球箱に移し替える際に、球箱後方部への遊技球の不安定な盛り上がりが生じ難い弾球遊技機を提供する。【解決手段】設置島100に取付けられる外枠2と、前面部材3と、球皿4と、球皿4の底部4ａに開設された球抜孔4ｂと、球抜孔4ｂを閉じる閉位置と開く開位置との間で移動自在であって常態で閉位置にあり遊技者の操作で開位置に移動させ得る球抜き部材6ｂとを備えており、設置島100の棚板102に球箱103を置いた状態で球抜き部材6ｂで球抜孔4ｂを開き、そうして球皿4内の遊技球を球箱103に排出させるようにした弾球遊技機1であって、揺動可能な状態に球抜孔4ｂの後方且つ球皿4の下方位置に垂設された球止板7と、球抜き部材6ｂの球抜き操作に連動して球止板7をロックするロック部材8とを備えており、ロックされた球止板7によって球抜孔4ｂから排出される遊技球の球箱103後方への移動を抑制させ得るようにした。【選択図】        図２
2015167577.tif 000002
【特許請求の範囲】
【請求項１】
遊技機設置島に取り付けられる外枠と、
遊技者に近い側を前、反対側を後としたとき、前記外枠の前面に設けられた前面部材と、
遊技球を貯留するために前記前面部材の前面に設けられた球皿と、
該球皿の底部に開設された球抜孔と、
該球抜孔を閉じる閉位置と、その球抜孔を開く開位置との間で移動自在であり、前記閉位置方向に向けて付勢する付勢手段によって常態では前記閉位置にあり、その付勢手段の付勢に抗する力を加える遊技者の球抜き操作で前記開位置に移動し得る球抜き部材と、を備えており、
前記球皿の球抜孔の下に臨むように前記遊技機設置島の棚板に持ち運びタイプの球箱を置いた状態で前記球抜き部材を開位置に移動させて前記球抜孔を開き、そうして球皿内の遊技球を前記球箱に排出させるようにした弾球遊技機であって、
振り子状に揺動可能な状態に前記球抜孔の後方且つ前記球皿の下方位置に垂設された球止板と、
前記球抜き部材の前記球抜き操作に連動して前記球止板をロックするロック部材と、を備えており、
前記ロック部材でロックされた前記球止板によって、前記球抜孔から排出される遊技球の前記球箱後方への移動を抑制させ得るようにしたことを特徴とする弾球遊技機。
【発明の詳細な説明】
【技術分野】
【０００１】
本発明は、遊技球を貯留する遊技者用の球皿を備えていて、該球皿に貯まった遊技球を持ち運び用の球箱に排出し得るようにした弾球遊技機に関する。
【背景技術】
【０００２】
遊技機設置島に取り付けられる外枠と、該外枠の前面に扉状に回動し得る状態に設けられた前面部材と、遊技球を貯留するために前記前面部材の前面に設けられた球皿と、該球皿の底部に開設された球抜孔と、該球抜孔を開閉操作する球抜き部材と、を有し、球皿の球抜孔の下に臨むように遊技機設置島の棚板に持ち運びタイプの球箱を置いて該球箱に球抜孔から遊技球を排出させるようにした弾球遊技機が、例えば特許文献１に記載されている。
【先行技術文献】
【特許文献】
【０００３】
【特許文献１】特開２００９−２６１６５５号公報
【発明の概要】
【発明が解決しようとする課題】
【０００４】
上記のように、遊技機設置島の棚板に持ち運びタイプの球箱を置き、球皿に貯まった遊技球をその球箱に排出させる弾球遊技機では、球箱の後方側が球皿の奥に隠れて遊技者から見えにくく、それ故、球箱の後方側に遊技球が貯まって不安定な状態に盛り上がっていても気付きにくい。そして、そのような状態の球箱を前方に引き出すと、盛り上がった遊技球が崩れて溢れ落ち、それが前記棚板上に散乱するおそれがあった（特許文献１[０００６]参照）。
【０００５】
特許文献１の弾球遊技機は、前記のような球箱の後方から遊技球が零れ落ちる課題に対し、外枠の前面下部に形成されている幕板部の前面上部に、球箱上面の開口面に張り出す球貯留安定化突部を突設し、その球貯留安定化突部で球箱の開口面の後縁を塞いで、その部分での遊技球の不安定な盛り上がりを防止するようにしたものである。
【０００６】
しかしながら、弾球遊技機において球箱を棚板に載せてセットするのは遊技者自身であり、したがって球箱が常に棚板の奥まで確実に押し込まれているとは限らない。そして、もし球箱のセット位置が浅くて、球箱の後方部の位置が球貯留安定化突部より前方にとどまっている場合には、球貯留安定化突部は殆ど機能しないか、又は十分な効果が望めない。
【０００７】
本発明は上記に鑑みなされたもので、その目的は、球皿に貯まった遊技球を球抜孔から球箱に移し替える際に、球箱後方部への遊技球の不安定な盛り上がりが生じ難い弾球遊技機を提供することにある。
【課題を解決するための手段】
【０００８】
上記の目的を達成するため本発明は、
遊技機設置島に取り付けられる外枠と、
遊技者に近い側を前、反対側を後としたとき、前記外枠の前面に設けられた前面部材と、
遊技球を貯留するために前記前面部材の前面に設けられた球皿と、
該球皿の底部に開設された球抜孔と、
該球抜孔を閉じる閉位置と、その球抜孔を開く開位置との間で移動自在であり、前記閉位置方向に向けて付勢する付勢手段によって常態では前記閉位置にあり、その付勢手段の付勢に抗する力を加える遊技者の球抜き操作で前記開位置に移動し得る球抜き部材と、を備えており、
前記球皿の球抜孔の下に臨むように前記遊技機設置島の棚板に持ち運びタイプの球箱を置いた状態で前記球抜き部材を開位置に移動させて前記球抜孔を開き、そうして球皿内の遊技球を前記球箱に排出させるようにした弾球遊技機であって、
振り子状に揺動可能な状態に前記球抜孔の後方且つ前記球皿の下方位置に垂設された球止板と、
前記球抜き部材の前記球抜き操作に連動して前記球止板をロックするロック部材と、を備えており、
前記ロック部材でロックされた前記球止板によって、前記球抜孔から排出される遊技球の前記球箱後方への移動を抑制させ得るようにした弾球遊技機を提供する。
【発明の効果】
【０００９】
本発明の弾球遊技機によれば、球皿の遊技球を球箱に移し替えるべく、遊技者が球抜き部材を球抜き操作すると、その球抜き操作に連動して球止板がロック部材でロックされる。この球止板は、球抜孔の後方且つ球皿の下方位置に垂設されているため、ロックされた状態では球抜孔の後方に設けられた固定壁のごとくに機能する。したがって、球抜孔から排出された遊技球が球箱の後方へ向かおうとしてもロック状態の球止板に阻まれるため、球箱後方への遊技球の移動が抑制される。
また、球箱が仮に棚板の浅い位置にセットされた場合でも、少なくとも球皿の球抜孔の下に球箱の開口上面が対応して遊技球を受け得ることに間違いないため、球抜孔の後方にある球止板も球箱の開口正面にほぼ対応する。したがって、球箱が仮に棚板の浅い位置にセットされているとしても、球止板による球箱後方への遊技球の移動は抑制可能である。
【図面の簡単な説明】
【００１０】
【図１】上半部を省略した弾球遊技機の一部断面正面図である。
【図２】弾球遊技機の要部を示す縦断面図である。
【図３】球箱を引き出す状態を示す弾球遊技機の要部縦断面図である。
【図４】球抜き部材が閉位置にある状態を示す球抜き装置の半断面平面図である。
【図５】球抜き部材が開位置にある状態を示す球抜き装置の半断面平面図である。
【図６】球抜き装置の分解斜視図である。
【図７】他の形態に係るもので、（ａ）は球止板を示す要部の縦断面図、（ｂ）は（ａ）の状態から球止板の高さを変更した状態を示す要部の縦断面図である。
【発明を実施するための形態】
【００１１】
以下に本発明の実施の形態を図面を参照しつつ説明する。
弾球遊技機１は、図２に示したように、遊技場に設けられた遊技機設置島１００の横桟１０１に載った状態で固定されており、その下側前方に遊技機設置島１００から遊技者側に向けて棚板１０２が突設されている。 
【００１２】
実施形態の弾球遊技機１は、遊技盤の遊技領域に向けて遊技球を打ち出し、その遊技球が入賞口に入賞する等した場合の景品として複数個の遊技球を遊技者に提供する、というものであり、一般に「パチンコ機」と称される。この弾球遊技機１は、四角く枠組みされた外枠２と、該外枠２の前面に蝶番金具（図示せず）で片開きの扉状に回動可能なように装着された前面部材３と、遊技球を貯留するために前面部材３の前面に設けられた球皿４と、を備えている。なお、外枠２には、前面側の下部に前記前面部材３の下縁に当接し得るように幕板部２ａが横設されている。
【００１３】
図示した弾球遊技機１は、下半部のみであり、省略した上半部には、周知のように透明板で覆われた窓孔と、その窓孔の奥側に装着された遊技盤と、遊技の景品たる遊技球を所定個数放出する景品球放出装置と、その景品球放出装置で放出された遊技球を受ける上の球皿等が設けられている。
そして、この上の球皿の下側に前記球皿４が配設されており、該球皿４と上の球皿が、機裏に設けたオーバーフロー樋５（図２、図３参照）で連結されている。したがって、上の球皿が満杯になると、景品球放出装置から放出される遊技球がオーバーフロー樋５を通って下の球皿４に流入する。
なお、現在では、上下の球皿が一つに統一されている機種もある。
【００１４】
[球皿]
前記球皿４は、前面部材３に開設した前記オーバーフロー樋５の球出口５ａの前方を囲う受皿状になっており、図２、図３に示したように遊技機設置島１００の前記棚板１０２の上方に迫り出している。この球皿４と棚板１０２の間の空間は、持ち運び用の球箱１０３が出し入れ可能な高さになっている。なお、球箱１０３は、両横に把手１０４，１０４を有する上面開口状の四角い合成樹脂製の箱である。
【００１５】
球皿４は、その底部４ａに円形の球抜孔４ｂが開設されており、その球抜孔４ｂに向かって緩やかに下る勾配が底部４ａに設けられている。したがって、オーバーフロー樋５の球出口５ａから球皿４に向けて放出された当初の遊技球は、底部４ａの勾配に沿って球抜孔４ｂに集まる。
【００１６】
また、球皿４には、底部４ａの下面に、遊技球の貯留と排出とを任意に切り替え得る球抜き装置６が設けられている。
【００１７】
[球抜き装置]
前記球抜き装置６は、図６に示したように、球皿４の下面にビス等の固着手段で取り付けられる上向きトレー状のベース部材６ａと、該ベース部材６ａに摺動自在に装着される球抜き部材６ｂと、該球抜き部材６ｂを付勢する付勢手段たるコイルスプリング６ｃで概略構成されている。
【００１８】
前記ベース部材６ａは、球皿４の底部４ａに対向位置する四角い基板６ｄと、その基板６ｄの周囲を低いフェンス状に囲う側枠板６ｅと、球皿４の前記球抜孔４ｂとほぼ同径で該球抜孔４ｂと縦方向に連通する縦筒孔６ｆと、後述するロック部材８を前記側枠板６ｅに沿って案内するガイド溝６ｇと、前記コイルスプリング６ｃの基端を受けるバネ受けピン６ｈと、を備えている。
【００１９】
さらに前記球抜き部材６ｂは、球抜孔４ｂの下面を塞ぎ得るシャッター板６０ｂと、そのシャッター板６０ｂの遊技者側の側縁に一体に設けた摺動操作片６１ｂと、前記コイルスプリング６ｃの先端を受けるバネ受け凹部６２ｂと、を備えている。
かかる球抜き部材６ｂは、シャッター板６０ｂを球皿４とベース部材６ａの間に挟ませることにより摺動可能に支持されている。また、前記バネ受けピン６ｈとバネ受け凹部６２ｂの間にコイルスプリング６ｃが圧縮状態に介装されており、該コイルスプリング６ｃにより常態では図１〜図４のように、シャッター板６０ｂが球抜孔４ｂを塞ぐ閉位置に向けて付勢されている。
また、球抜き部材６ｂは、シャッター板６０ｂの横の摺動操作片６１ｂが、ベース部材６ａの側枠板６ｅに設けた操作片用欠落部６ｉを通って遊技者側に突出しており、遊技者が該摺動操作片６１ｂに前記コイルスプリング６ｃの付勢に抗する力を加える球抜き操作を行うことによって、図５のように球抜孔４ｂを開く前記開位置に移動させ得る。
【００２０】
球抜き装置６は以上のように構成されているため、常態では球抜き部材６ｂが閉位置にあって図１、図４のように球抜孔４ｂがシャッター板６０ｂで閉じられている。したがって、オーバーフロー樋５の球出口５ａから球皿４内に放出された遊技球は、球抜孔４ｂから抜けることなく球皿４内に貯まる。
一方、球皿４に遊技球が貯まった状態で、遊技者が球抜き部材６ｂを操作して開位置に強制移動させると、図５のように球抜孔４ｂが開いて球皿４内の遊技球が球抜孔４ｂと縦筒孔６ｆを通って下方に流出する。なお、後述するが、球皿４の下には棚板１０２上に球箱１０３がセットされており、したがって球皿４から流出した遊技球は該球箱１０３に貯まる。
また、球抜き部材６ｂが開位置にある状態で遊技者が摺動操作片６１ｂから手を離すと、コイルスプリング６ｃの弾性により球抜き部材６ｂが閉位置に移動して元の状態に戻る。
【００２１】
しかして本発明は、上記の弾球遊技機１において、球皿４から球箱１０３に移し替えた遊技球が、球箱１０３上で不安定に盛り上がって崩れ落ちる不具合を解消すべく、球箱１０３用の球零れ防止手段を設けたことを特徴とする。
【００２２】
この球零れ防止手段は、球皿４の下方位置に垂設された球止板７と、該球止板７をロックするロック部材８で概略構成されている。
【００２３】
[球止板]
球止板７は、図６に示したように、上部に軸孔７ａを有する正面視略長方形の板状部材であって、球抜孔４ｂの後方且つ球皿４の下方位置に振り子状に揺動可能な状態に垂設されている。
この球止板７の大きさは、横幅が遊技者側から見て球抜き装置６のベース部材６ａとほぼ同程度であり、また、下端が球箱１０３の上縁より若干低い程度になっている。
具体的には球止板７は、前記球抜き装置６のベース部材６ａの後縁に突設された軸受部６ｊと、自己の前記軸孔７ａとに回転軸９を挿通し、そうしてベース部材６ａの後縁に揺動可能な状態に垂設されている。
なお、実施形態では、球止板７の揺動運動に適度な負荷を掛けるための揺動負荷手段として、その下部に重錘７ｂがインサートされている。
【００２４】
[ロック部材]
ロック部材８は、前記球止板７を前記球抜き部材６ｂの球抜き操作に連動させてロックするものであり、前記球止板７の上部の一端に該球止板７の前記軸孔７ａと同心状に形成した冠歯車状の制動板８ａと、前記球抜き部材６ｂのシャッター板６０ｂの後縁側に設けた爪片８ｂと、からなる。
このシャッター板６０ｂの爪片８ｂは、ベース部材６ａの前記ガイド溝６ｇの内部に摺動自在に遊嵌されている。
一方、球止板７の制動板８ａは、円弧の上部がベース部材６ａに開設した開口部６ｋを通って前記ガイド溝６ｇの端部に臨んでおり、該制動板８ａの冠歯車状の凹凸面が、シャッター板６０ｂの爪片８ｂと向かい合うようになっている。
【００２５】
[球抜き操作]
次に、球皿４に貯まった遊技球を球箱１０３に移し替える球抜き操作について説明する。
先ず、遊技者が、球箱１０３を、棚板１０２の手前側から奥に向けて押し込んで、少なくとも球箱１０３の上面開口部が球皿４の球抜孔４ｂの下に対応するようにしてセットする。このとき球箱１０３の後側の上縁が、仮に球皿４の下方位置に垂れ下がっている球止板７に当たっても、該球止板７が後方に振れて逃げ、さらに球箱１０３の前記上縁をやり過ごして図２のように球箱１０３の内側に戻る。
【００２６】
次に、遊技者が、閉位置にある球抜き部材６ｂの摺動操作片６１ｂに指を掛け、コイルスプリング６ｃの付勢に抗して球抜き部材６ｂを開位置に移動させると、図５のようにシャッター板６０ｂがずれて球抜孔４ｂが開く。これにより球抜孔４ｂから球箱１０３に向かって遊技球が流出する。
一方、球抜き部材６ｂと一緒にロック部材８の爪片８ｂがガイド溝６ｇに沿って摺動し、球抜き部材６ｂが開位置に達した状態でその爪片８ｂが前記制動板８ａの凹凸面に噛合する。これにより球止板７は、図２の垂下姿勢のままロックされるため、球抜孔４ｂの後方に四角い固定壁が出現したような状態になる。なお、例えば、棚板１０２に載せる段階で既に球箱１０３にある程度の遊技球が入っていて、その遊技球に当たって球止板７が傾いている、或は、図３のように一旦奥にセットされた球箱１０３が手前にずれて球止板７が傾いている、というように何らかの原因で球止板７が垂直より傾いている場合があり得るが、そのような場合でも、制動板８ａの凹凸面が冠歯車状になっているため、球抜き部材６ｂの爪片８ｂとの噛合は問題なく行える。
【００２７】
上記のようにロック部材８によって球止板７がロックされた状態でも、球止板７より下の部分では遊技球が球箱１０３内を自由に移動し得るため、球止板７の存在とは無関係に球箱１０３の隅々に遊技球が行き渡るものの、遊技球のレベルが球止板７の下端にまで達すると、遊技球の球箱１０３後方への移動が球止板７によって阻まれる。よって、球箱１０３後方への遊技球の移動が抑制されるため、球止板７の後方に遊技球の盛り上がりが生じない。特に、実施形態では、球止板７の下方を肉厚にして少なくともその前面に、落下する遊技球を前方に誘導する傾斜面が形成されているため、球箱１０３の前方に遊技球が流れやすい。
【００２８】
次に、球箱１０３が満杯になった頃合いで遊技者が球抜き部材６ｂの摺動操作片６１ｂから手を離すと、コイルスプリング６ｃの付勢により球抜き部材６ｂが閉位置に自動的に復動し、同時に球止板７の制動板８ａから爪片８ｂが外れる。これにより球止板７のロックが解除されて揺動可能な状態に戻るため、図２の想像線のように球止板７の前方にある遊技球が後方に流れ得るが、仮に球止板７の後方に遊技球が流れても、その球止板７の後方には適度なスペースがあるため盛り上がることはない。したがって、球箱１０３を棚板１０２から引き出しても球零れが生じ難い。
なお、前記のように球止板７に、重錘７ｂ等の揺動負荷手段を設けてその揺動に適度な負荷を掛けておくことにより、球止板７のロックを解除したときの球圧による揺動をある程度抑制して遊技球の移動をなだらかにすることができる。
【００２９】
次に、図３に示したように、遊技球が入った球箱１０３を棚板１０２から引き出す。その際、仮に球止板７が球箱１０３の後側の上縁に当たっても、該球止板７が、前記セット時とは逆向きに振れて元の状態に戻る。
【００３０】
以上、本発明を実施の形態について説明したが、もちろん本発明は上記実施形態に限定されるものではない。例えば、実施形態では、球止板７が合成樹脂の単板構造になっていて単独では高さを調節する余地がないが、図７（ａ），（ｂ）に示したように、球止板７に高さ調節手段７０を設けるようにしてもよい。この図７（ａ），（ｂ）の高さ調節手段７０は、球止板７を上半部７１と下半部７２に分割形成すると共にその上半部７１と下半部７２を高さが異なる複数段のネジ止め部７３ａ，７３ｂ，７３ｃで適宜継ぎ合わせるようにしたものである。なお、図７（ａ），（ｂ）において、符合７４は下半部７２に突設したジョイント板、符合７５は該ジョイント板７４を受け入れる受孔、また、符合７６は雄ネジである。
この高さ調節手段７０を使って球止板７の高さを調節可能とすることにより、各遊技場で採用されている球箱１０３の高さに差があっても、簡単に対応させることができる。
言うまでもなく図示した高さ調節手段７０は一例であって、例えば実施形態の球止板７の下に高さを調節する補助片を付け足すようにしたり、或は球止板７の高さを大きめに設定すると共に複数の水平な薄肉切断線を設けて樹脂成形し、球箱１０３の仕様に合わせて適宜な薄肉切断線から切り落とすようにする、などしてもよい。
【００３１】
また、実施形態では、ロック部材８を、冠歯車状の凸凹面を有する制動板８ａと、その凹凸面に噛合する爪片８ｂと、の組合せで形成したが、制動板８ａの正面及び／又は爪片８ｂの先端に摩擦係数の大きい合成樹脂材を配置し、両者の摩擦抵抗で球止板７をロックするようにしてもよい。そうした場合には、球止板７をロックした状態で例えば球箱１０３を引き出すなどして球止板７に無理な回動力が加わっても、制動板８ａと爪片８ｂが擦れ合うため、破損という最悪の事態には至らない。
【００３２】
また、実施形態では、球止板７の前記揺動負荷手段を重錘７ｂで形成したが、そのような重錘７ｂに代えてねじり棒式スプリング（トーションバースプリング）を回転軸９に作用させるようにしてもよい。
【００３３】
また、実施形態では、球止板７をベース部材６ａに設けるようにしたが、球止板７を球皿４の底部４ａに直接垂設するか、或は、外枠２の幕板部２ａに軸受アームを突設してその軸受アームに垂設させるようにしてもよい。もっとも実施形態のように球止板７とロック部材８を球抜き装置６のベース部材６ａに設けた場合には、ベース部材６ａを交換するのみで既設の弾球遊技機にも本発明を適用することができる。
【００３４】
また、実施形態では、球抜き部材６ｂの球抜き操作と、球止板７をロックするロック部材８の連動を機械的に行わせるようにしたが、例えばロック部材を電動式に形成すると共に球抜き部材６ｂの球抜き操作で該電動式のロック部材のスイッチをＯＮ・ＯＦＦさせるようにしてもよい。
【符号の説明】
【００３５】
１  …弾球遊技機
２  …外枠
３  …前面部材
４  …球皿
４ａ  …底部
４ｂ  …球抜孔
６ｂ  …球抜き部材
６ｃ  …コイルスプリング（付勢手段）
７  …球止板
８  …ロック部材
１００  …遊技機設置島
１０２  …棚板
１０３  …球箱
【図１】
2015167577.tif 000003
【図２】
2015167577.tif 000004
【図３】
2015167577.tif 000005
【図４】
2015167577.tif 000006
【図５】
2015167577.tif 000007
【図６】
2015167577.tif 000008
【図７】
2015167577.tif 000009